(57)【特許請求の範囲】
【請求項１】
少なくとも１つのメッセージを少なくとも１つの意図されたグループメンバーに送信することにより、グループに関する通知を行う段階であって、該グループに関する通知を行う前記少なくとも１つのメッセージが、グループ呼び出しの生成の前に前記少なくとも１つの意図されたグループメンバーに送信されるようになっている、段階と、
或るグループメンバーの装置が、すべての使用可能な媒体のタイプを該グループメンバーに示す段階と、
前記グループに関する通知を行う前記メッセージに、該グループにおいて少なくとも１つの媒体のタイプを含む使用可能な媒体のタイプであって、該グループメンバーに選択された媒体のタイプの指示を含める段階と、
を含む方法であって、
前記通知を行う段階及び前記含める段階のうちの少なくとも一方が、少なくとも１つのプロセッサにより実行される、ことを特徴とする方法。
【請求項２】
前記グループに関する通知を行う段階は、
或るグループメンバーの装置が、前記少なくとも１つのメッセージを、アプリケーションサーバを介して、前記少なくとも１つの意図されたグループメンバーに送信する段階、を含む、請求項１に記載の方法。
【請求項３】
前記グループに関する通知を行う段階は、
或るグループメンバーの装置が、前記少なくとも１つのメッセージを、アプリケーションサーバを介することなく、直接的に前記少なくとも１つの意図されたグループメンバーに送信する段階、を含む、請求項１に記載の方法。
【請求項４】
前記グループに関する通知を行う段階は、
アプリケーションサーバが、グループメンバーから前記少なくとも１つのメッセージを受信することなく、該少なくとも１つのメッセージを前記少なくとも１つの意図されたグループメンバーに送信する段階、を含む、請求項１に記載の方法。
【請求項５】
プロセッサと、
コードを含むメモリと、を具備する装置であって、
前記コードは、前記プロセッサによって実行されたときに、前記装置に対して、
少なくとも１つのメッセージを少なくとも１つの意図されたグループメンバーに送信することにより、グループに関する通知を行う段階であって、該グループに関する通知を行う前記少なくとも１つのメッセージが、グループ呼び出しの生成の前に前記少なくとも１つの意図されたグループメンバーに送信されるようになっている、段階と、
或るグループメンバーの装置が、すべての使用可能な媒体のタイプを該グループメンバーに示す段階と、
前記グループに関する通知を行う前記メッセージに、該グループにおいて少なくとも１つの媒体のタイプを含む使用可能な媒体のタイプであって、該グループメンバーに選択された媒体のタイプの指示を含める段階と、
を実行させるように構成されたものである、
ことを特徴とする装置。
【請求項６】
コンピュータプログラムを記憶するコンピュータにより読み取り可能な記憶媒体であって、前記コンピュータプログラムは、コンピュータに対して、
少なくとも１つのメッセージを少なくとも１つの意図されたグループメンバーに送信することにより、グループに関する通知を行う段階であって、該グループに関する通知を行う前記少なくとも１つのメッセージが、グループ呼び出しの生成の前に前記少なくとも１つの意図されたグループメンバーに送信されるようになっている、段階と、
或るグループメンバーの装置が、すべての使用可能な媒体のタイプを該グループメンバーに示す段階と、
前記グループに関する通知を行う前記メッセージに、該グループにおいて少なくとも１つの媒体のタイプを含む使用可能な媒体のタイプであって、該グループメンバーに選択された媒体のタイプの指示を含める段階と、
を実行させるように構成されたものである、
ことを特徴とする記憶媒体。
【発明の詳細な説明】
【技術分野】
【０００１】
本発明は、グループ通信サービスを提供する通信システムにおけるグループ通信に関する。
【背景技術】
【０００２】
移動通信システムに与えられる１つの特別な特徴は、グループ通信である。本明細書に用いられる「グループ」という用語は、同じグループ通信に参加することが意図される２つ又はそれ以上のユーザのあらゆる論理グループを指す。グループ通信の一例は、すべての参加者が互いに順番に話して聞くことができる呼び出しであるグループ呼び出しである。
【０００３】
通常、グループ通信は、主としてプロフェッショナルなユーザ及び政府のユーザを対象とする特別な無線システムであるＴＥＴＲＡ（Ｔｅｒｒｅｓｔｒｉａｌ  Ｔｒｕｎｋｅｄ  Ｒａｄｉｏ）のようなＰｒｉｖａｔｅ  Ｍｏｂｉｌｅ  Ｒａｄｉｏ（ＰＭＲ）システム又はＰｒｏｆｅｓｓｉｏｎａｌ  Ｍｏｂｉｌｅ  Ｒａｄｉｏシステム等のトランク移動通信システムにおいてのみ使用可能であった。通信技術、特にＩＰベースの通信技術及びエンドユーザ機器の発展のおかげで、グループ通信サービスは、今日、公衆移動通信システムにおいても使用可能である。グループ通信サービスを提供するサービス例は、Ｐｕｓｈ−ｔｏ−ｔａｌｋ  ｏｖｅｒ  Ｃｅｌｌｕｌａｒ（ＰｏＣ）、メッセージング（ＩＭ）、及びカンファレンシングを含み、これらすべては、通信システムに垂直に統合されないが、マルチメディアアーキテクチャを構築するツールに統合されるＳＩＰ（セッション開始プロトコル）により提供される基本形を用いて実施される。こうしたグループ通信は、データ呼び出し、オーディオ呼び出し、ビデオ呼び出し、マルチメディア呼び出し、メッセージング、電子メール等を含むことができる。
【０００４】
多目的通信の可能性のために、Ｖｏｉｃｅ  ＰｏＣ呼び出し、ＳＩＭＰＬＥ（ＳＩＰ  ｆｏｒ  Ｉｎｓｔａｎｔ  Ｍｅｓｓａｇｉｎｇ  ａｎｄ  Ｐｒｅｓｅｎｃｅ  Ｌｅｖｅｒａｇｉｎｇ  Ｅｘｔｅｎｓｉｏｎｓ）ＩＭチャット、Ｖｉｄｅｏ  Ｐｏｃ呼び出し、及びＧａｍｉｎｇ  Ｓｅｒｖｉｃｅのような異なる媒体の種類を、グループにおいて使用可能とすることができる。しかし、今のところ、グループメンバーがグループにおいて使用可能な媒体の種類について通知されることができる機構は存在していない。（グループメンバーは、グループ通信に参加することが意図されるユーザである。）したがって、グループメンバーは、グループにおいて使用可能な媒体の種類を推測しなければならない。
【発明の概要】
【発明が解決しようとする課題】
【０００５】
したがって、本発明の目的は、上述の問題を克服し、グループメンバーに、グループにおいて使用可能な媒体の種類に関する情報を与える方法及びこの方法を実施するための装置を提供することである。本発明の目的は、独立クレームに述べられることにより特徴付けられる方法、信号通知メッセージ、ユーザ機器、サーバ、及びコンピュータプログラム製品により実現される。本発明の好ましい実施形態は、従属クレームにおいて開示される。
【課題を解決するための手段】
【０００６】
本発明は、問題を認識し、本明細書においてはグループを広告するメッセージと呼ばれる、既存のグループについてグループに知らせるメッセージを、グループにおいて使用可能な媒体の種類を含むように強化することにより解決することに基づくものである。
【０００７】
本発明は、グループにおいて使用可能な媒体の種類についてグループメンバーに通知するのに実施するのが容易な解決法を提供する。ユーザ機器は、使用可能な媒体の種類に基づいて、このグループにおける通信にはどのアプリケーションを用いるべきかを知っていることが利点である。さらに、情報は、グループを広告するメッセージにおいて送給されるため、付加的な信号通知は不要であり、情報を意図されるグループメンバーに渡すのにどのようなリソースも割り当てる必要はないことが利点である。
【図面の簡単な説明】
【０００８】
【図１】グループ通信サービスを提供する通信システムの一般的なアーキテクチャの例を示す。
【図２】本発明によるグループ広告メッセージを示す。
【図３】本発明によるグループ広告メッセージを示す。
【図４】本発明の実施形態による信号通知を示す信号通知図である。
【発明を実施するための形態】
【０００９】
以下、本発明を好ましい実施形態及び添付図面を参照してより詳細に説明する。
以下の実施形態は例示的なものである。明細書は幾つかの位置で「ａｎ」「ｏｎｅ」又は「ｓｏｍｅ」を引用することがあるが、各々のこうした引用が必ずしも同じ実施形態になされることを意味するわけではなく、又は、その特徴が単一の実施形態にのみ適用されることを意味するものではない。さらに、以下に与えられる実施形態又はその部分は、本発明の好ましい実施形態を生成するように組み合わせることができる。
【００１０】
本発明は、あらゆるユーザ機器、サーバ、及び／又は、あらゆる通信システム、又はグループ通信をサポートし、グループがグループメンバーに広告されるメッセージを与える異なる通信システムのあらゆる組み合わせに適用可能である。メッセージのフォーマットにもグループの種類にも制限は存在しない。通信システムは、固定通信システムであってもよいし、無線通信システムであってもよいし、固定ネットワーク及び無線ネットワークの両方を使用する通信システムであってもよい。用いられるプロトコル、通信システムの仕様、及びユーザ機器、特に無線通信におけるものは、急速に発達する。こうした発達は、本発明に対して付加的な変更を要求することがある。したがって、すべての言葉及び表現は広く解釈されるべきであり、これらは本発明を制限するものではなく示すものであることが意図される。
【００１１】
以下では、本発明は、本発明を適用することができるシステムアーキテクチャの一例として、マルチメディアアーキテクチャを構築するツールを与え、ＸＤＭを使用するＳＩＰに基づいたアーキテクチャを用いて説明されるが、本発明は、こうしたアーキテクチャに制限されるものではない。ＳＩＰは、１つ又はそれ以上の参加者とのセッションを生成し、修正し、及び終了するための、Ｉｎｔｅｒｎｅｔ  Ｅｎｇｉｎｅｅｒｉｎｇ  Ｔａｓｋ  Ｆｏｒｃｅ  （ＩＥＴＦ）により定義されるアプリケーション・層制御（信号通知プロトコル）である。Ｏｐｅｎ  Ｍｏｂｉｌｅ  Ａｌｌｉａｎｃｅ（ＯＭＡ）は、ＸＣＡＰプロトコル（ＸＭＬ  Ｃｏｎｆｉｇｕｒａｔｉｏｎ  Ａｃｃｅｓｓ  Ｐｒｏｔｏｃｏｌ）に基づいてグループ及びリスト管理に対する一般的な枠組を定義した。ＩＥＴＦ仕様及びＩｎｔｅｒｎｅｔ  Ｄｒａｆｔｓは、ｈｔｔｐ：／／ｗｗｗ．ｉｅｔｆ．ｏｒｇにおいて、ＯＭＡ仕様はｈｔｔｐ：／／ｗｗｗ．ｏｐｅｎｍｏｂｉｌｅａｌｌｉａｎｃｅ．ｏｒｇにおいて見出すことができる。
【００１２】
ＳＩＰ及びＸＣＡＰを使用するグループ通信サービスを提供する通信システムの一般的なアーキテクチャが図１に示される。図１は、すべてが、その実施が示されるものとは異なることができる論理ユニットである幾つかの要素及び機能エンティティのみを示す単純化されたシステムアーキテクチャである。図１に示される関係は論理関係であり、実際の物理関係は異なることができる。当業者であれば、システムは、さらに、他の機能及び構造体を含むことが明らかである。グループ通信において或いはグループ通信のために又はグループを広告するために用いられる機能、構造体、要素、及びプロトコルは、実際の発明とは無関係であることを理解すべきである。したがって、ここでさらに詳細に説明する必要はない。本発明は、主として、グループにおいて使用可能な媒体の種類についてグループメンバーに通知することに関し、情報は、グループを広告するメッセージにおいて与えられる。
【００１３】
通信システム１は、集合プロキシ１−３、アプリケーションサーバ１−４、及びＩＰマルチメディアサブシステム（ＩＭＳ）１−５に接続可能であり、これらによりアプリケーションＸＭＬ文書管理サーバ（ＸＤＭＳ）１−６及び共有ＸＤＭＳ１−７に接続される移動局のようなユーザ機器（ＵＥ）１−２を含む。機能エンティティとして、ＵＥ１−２は、アプリケーションによって提供されたサービスにアクセスするアプリケーションクライアント１−２１と、例えばＸＭＬ文書又はＸＭＬ文書内の要素を生成し、削除し、修正し、検索することができるＸＭＬ文書管理クライアント（ＸＤＭＣ）１−２２とを含む。典型的には、ＳＩＰの信号通知のような制御プレーントラフィックはＩＭＳ１−５を通過するが、ユーザ制御トラフィックはＵＥ１−２とアプリケーションサーバ１−４との間を通過する。ＸＣＡＰプロトコルを用いるグループ及びリスト管理トラフィックは、集合プロキシ１０３により、ＵＥ（又は、より正確には、ＵＥにおけるＸＤＭＣ）とアプリケーションＸＤＭＳ１−６又は共有ＣＤＭＳとの間を通る。
【００１４】
集合プロキシ１−３、アプリケーションＸＤＭＳ１−６、及び共有ＸＤＭＳ１−７は、ＸＤＭ機能エンティティである。ＸＤＭは、ユーザ機器に常駐する異なるアプリケーション（サービスイネーブラ）及びクライアントにアクセス可能なグループ定義のようなユーザ占有のサービス関連情報を作成し、こうした情報の生成、修正、検索、及び削除を可能にする共通の機構を定義する。この情報、より正確にはＸＭＬ文書は、ＸＤＭＳ内に格納される。アプリケーション１−６は、特定用途向けサーバ、すなわち、各々が同じ特定のアプリケーションに対する１つ又はそれ以上のアプリケーションサーバであり、共有ＸＤＭＣ１−７はシステムにおける異なるアプリケーションのアプリケーションサーバに対応し、一般的なグループ及びリスト管理データを含む。集合プロキシ１−３は、個々のＸＣＡＰ要求をＸＤＭＣから正しいＸＤＭＳに送る。
【００１５】
アプリケーションサーバ１−４は、グループ通信サービスを提供する１つ又はそれ以上のアプリケーションユニット、受信通信（メッセージ）のための１つ又はそれ以上のレシーバ並びに送信通信（メッセージ）のための１つ又はそれ以上のトランスミッタ、メモリ、及びグループ通信サービスを提供する１つ又はそれ以上のアプリケーションを処理するため、受信通信及び送信通信を処理し制御するため、及びメモリの使用を制御するための１つ又はそれ以上の動作プロセッサを含む。当業者には、サーバは、本明細書において詳細に説明する必要がない他のコンポーネント、エンティティ、機能、及び構造体を含むことができることが明らかである。グループ通信サービスを提供するアプリケーションは、例えば、ソフトウェアアプリケーションであってもよいし、モジュールであってもよいし、動作プロセッサにより実行される算術演算又はプログラムとして構成されるユニットであってもよい。グループ通信サービスを提供するアプリケーションは、例えば、ＰｏＣ、メッセージング、又はカンファレンシングであってもよい。ＰｏＣ仕様は、現在、ＯＭＡの下のＰｏＣワーキンググループにより開発されている。Ｐｏｃに関するより詳細な情報は、上述のＯＭＡについてのインターネットのページに見出すことができる。ＩＥＴＦにより定義されるＳＩＭＰＬＥは、インスタントメッセージング（ＩＭ）サービスを提供する。ＯＭＡは、さらに、ＳＩＰ／ＳＩＭＰＬＥプロトコルに基づいて、ＩＭ（インスタントメッセージング）イネーブラを定義する。したがって、アプリケーションサーバ４は、ＰｏＣサーバ、インスタントメッセージングサーバ、又はオーディオ、ビデオ、及びメッセージングのような異なる媒体の種類をサポートするカンファレンスサーバとすることができる。アプリケーションＸＤＭＳ１−６は単一のアプリケーションに対応するため、アプリケーションＸＤＭＳ１−６はＰｏＣ  ＸＤＭＳ又はインスタントメッセージングＸＤＭＳとすることができる。例えば、アプリケーションがＰｏＣである場合には、コンタクトリストを共有ＸＤＭＳ１−７及び／又はＰｏＣ  ＸＤＭＳ、すなわち、ＰｏＣグループ文書を含むアプリケーションＣＤＭＳ１−６内に格納することができる。ＰｏＣグループセッションに対するメンバーリストを与えるＰｏＣグループ文書は、したがって、ＵＥ１−２及びＰｏＣサーバ、すなわちアプリケーションサーバ１−４にアクセス可能であり、これらはグループを広告するとき又はグループセッションを確立する（グループメンバーをグループセッションに招待する）ときに、メンバーリストを使用することができる。本発明によるＰｏＣグループ文書は、さらに、メンバーリストに加えて、グループにおいて使用可能な媒体の種類も含むことが好ましい。
【００１６】
本発明の実施形態によれば、ＵＥ１−２は、以下ではアプリケーションクライアントと呼ばれる１つ又はそれ以上のアプリケーションクライアントユニット１−２１、１つ又はそれ以上の文書管理クライアントユニット（ＸＤＭＣ）１−２２、メモリ、受信通信（メッセージ）のための１つ又はそれ以上のレシーバ並びに送信通信（メッセージ）のための１つ又はそれ以上のトランスミッタ、１つ又はそれ以上のアプリケーションクライアント及び文書管理クライアントを処理するため、受信通信及び送信通信を処理し制御するため、及びメモリの使用を制御するための１つ又はそれ以上の動作プロセッサを含む。当業者には、ユーザ端末は、本明細書において詳細に説明する必要がない他のコンポーネント、エンティティ、機能、及び構造体を含むことができることが明らかである。ＵＥ、又はより具体的には、アプリケーションクライアント１−２１は、とりわけ、アプリケーションセッション開始を可能にし、異なるグループリスト及びコンタクトリストに対するアクセスを提供する。本発明によるアプリケーションクライアント又はアプリケーションクライアントが常駐するユーザ機器は、図２から図４に示すように、グループを広告するメッセージを形成して送信し、グループにおいて使用可能な媒体の種類に関する情報をグループを広告するメッセージに加え、グループにおいて使用可能な媒体の種類に関する情報を格納するように構成することができる。本発明によるアプリケーションクライアント１−２１は、ユーザ機器と共に出荷されてもよいし、ユーザ機器にダウンロード可能なプラグインであってもよいし、或いは別の方法により、後でユーザ機器に加えられてもよいし、又は、ユーザ機器におけるアプリケーションクライアントは、本発明によるアプリケーションクライアントに修正されてもよい。例えば、アプリケーションクライアントは、ソフトウェアアプリケーションであってもよいし、モジュールであってもよいし、動作プロセッサにより実行される算術演算又はプログラムとして構成されるユニットであってもよい。
【００１７】
図２及び図３は、本発明によるメッセージを開示し、両方とも既存のグループを広告するメッセージである。メッセージは、どのような好適な信号通知メッセージであってもよいが、明確さのために、これらは単純化されたＳＩＰ  ＭＥＳＳＡＧＥとして示され、明確さのために、すべての可能性のあるＳＩＰヘッダ及びパラメータは含まれていない。図示されるアーキテクチャにおいては、メッセージはＩＭＳ上で送信され、これらは即時のメッセージ又はページモードのメッセージである。これらのメッセージに共通の特徴は、メッセージがネットワークのインフラストラクチャにより受取人に対して生成されて送信されること、及び、後に続くメッセージが、プロトコルレベルでは、前のものと関連しておらず、各々の即時の又はページモードのメッセージは、前のメッセージの応答であっても、個々のトランザクションであると考慮されることである。換言すると、グループを広告するメッセージは、セッションベースのメッセージングのメッセージではなく、個々のトランザクションである。
【００１８】
図２に示す実施形態においては、メッセージ２は、このグループに使用可能な媒体の種類を定義するための新しいフィールド「ｃｏｍｍｕｎｉｃａｔｉｏｎ  ｍｅａｎｓ」２０１を含み、図３に示す実施形態においては、現在のフィールド「ｇｒｏｕｐ  ｔｙｐｅ」が拡張されて、用いることができるｍｅｄｉａ＿ｔｙｐｅ３−１、３−１’を定義するようになる。図２における新しいフィールド２−１は、さらに、別の名前を有することができる。図３の実施形態に関しては、何らかの他の現在のフィールドを拡張して、使用可能な媒体の種類を定義することができる。媒体の種類は、ここでは、エンドポイント、すなわちＵＥ間で交渉可能なデータ及び／又は通信手段の一般的な種類をカバーする。媒体の種類の例は、Ｍｕｌｔｉｐｕｒｐｏｓｅ  Ｉｎｔｅｒｎｅｔ  Ｍａｉｌ  Ｅｘｔｅｎｓｉｏｎｓ  （ＭＩＭＥ）  Ｐａｔ  ｔｗｏ：Ｍｅｄｉａ  Ｔｙｐｅｓ，１９９６年１１月のＲＦＣ  ２０４６におけるＩＥＴＦにより定義されるトップレベルの媒体の種類を含む。トップレベルの媒体の種類は、以下に限られるものではないが、テキスト（テキスト情報）、画像（画像データ）、オーディオ（オーディオデータ）、ビデオ（ビデオデータ）、アプリケーション（何らかの他の種類のデータ、典型的には、アプリケーションにより処理されるべき解釈されていないバイナリデータ又は情報のいずれか）、マルチパート（個々のデータの種類の多数のエンティティで構成されるデータ）、及びメッセージ（カプセルメッセージ）を含む。さらに、媒体の種類は、異なるサブタイプ及び／又はグループ通信サービスを提供する（異なるオーバレイサービスを含む）接続の種類を含む。したがって、媒体の種類は、例えば、「ｐｏｃ」「ｉｍ」「ａｕｄｉｏ」「ｖｉｄｅｏ」「ｃｏｎｆｅｒｅｎｃｅ」「ａｐｐｌｉｃａｔｉｏｎ」「ａｌｌ」「ｏｔｈｅｒ」から選択することができる。
【００１９】
示される両方の例においては、２つの媒体の種類ｍｅｄｉａ＿ｔｙｐｅ１及びｍｅｄｉａ＿ｔｙｐｅ２は、広告されたグループにおいて使用可能な媒体の種類であるように定義される。しかし、グループにおいて仕様することができる１つ、２つ、３つ、又はそれ以上の媒体の種類があってもよく、この量は無制限である。使用可能な媒体の種類は、グループにおいてどの媒体の種類を用いることができるかを示すのみで、グループ通信において使用可能なすべての媒体の種類の媒体コンポーネントを用いることは必要としないため、メッセージは、グループにおいて使用可能なすべての可能性のある媒体の種類を含むことが好ましい。例えば、グループにおいて使用可能な媒体の種類がオーディオ、ビデオ、及びメッセージングである場合には、グループのグループ通信セッション中には、オーディオだけが用いられることが可能である。
【００２０】
新しい使用可能な媒体の種類がグループ定義に加えられた場合、又は、既存の使用可能な媒体の種類がグループの定義から削除された場合には、グループを広告するメッセージがこれにしたがって変更され、好ましくは変更後に送信される。
【００２１】
図４は、本発明の実施形態による信号通知を示す。図４に示す例においては、明確さのために、グループ広告が作動され、すべてのグループメンバーに送信されることが仮定される。グループを広告するメッセージをすべてのグループメンバーに送信する利点は、各々のグループメンバーが、グループにおいて使用可能な媒体の種類に関して同じ情報を有することである。このことは、すべてのグループメンバーがすぐに同じユーザ経験をすることを可能にする。このことは、使用可能な媒体の種類が、グループが存在する間に修正されるときに特に有利である。
【００２２】
図示例においては、ユーザ機器ＵＥ１、又はより正確にはＵＥ１のユーザは、点４−１において、通常の手順を用いてグループを生成する。どのようにグループが生成されるかは、本発明に対してどのような重要性ももたず、したがって、ここで詳細に説明されることはない。従来技術のグループ定義に加えて、ＵＥ１（ユーザ）は、点４−１において、生成されたグループが使用可能な媒体の種類を定義する。例えば、ユーザ機器はユーザに対して、すべての可能な媒体の種類を示すことができ、ユーザは、その中から自身がこのグループで使用可能であることを望むものを選択し、又は、ユーザ機器は、使用可能な媒体の種類の予め設定された定義を有することができ、この予め設定された定義は、ユーザ機器内に格納されており、デフォルトとして用いられる。しかし、使用可能な媒体の種類がどのように定義されるかについての詳細は本発明に無関係であり、使用可能な媒体の種類が、グループを広告するメッセージに加えられるだけで十分である。グループが生成され、定義の準備ができたときには、グループに関する情報はＸＤＭＣによりシステムに転送され、通常の手順を用いて、アプリケーションＸＤＭＳ又は共有ＸＤＭＳ内のいずれかに格納される。次いで、すぐに又はしばらくしてから、ＵＥ１、又は実際にはＵＥ１における当該アプリケーションクライアントは、点４−２において、グループを広告するメッセージを形成する。メッセージは、使用可能な媒体の種類に対する新しいフィールド（図２に開示される）又はグループの種類に対する拡張されたフィールドを含む。メッセージの準備ができたとき、ＵＥ１は、それ（メッセージ４−３）をネットワークに送信する。メッセージが対応するアプリケーションサーバに到達したときには、通常の手順を用いて、グループ広告のポリシー及び分布のチェックを実行する。次いで、アプリケーションサーバは、メッセージ４−３をグループメンバーのＵＥに送給する（構成に応じて、ＵＥ１はメッセージ４−３を受信する又は受信しない）。
【００２３】
他のグループメンバーのＵＥ（又はグループが２人のメンバーだけを含む場合には別のグループメンバーのＵＥ）がメッセージ４−３を受信したときには、点４−４において、グループにより後で用いられるべき使用可能な媒体の種類を含むグループ情報を格納することができる。使用可能な媒体の種類は、例えば、ユーザが、他のメンバーをグループ通信セッションに招待することを望むとき、又は、ユーザがグループ通信に応答しているときに、ユーザに示されることができる。
【００２４】
アプリケーションサーバは、グループ生成者から広告を受信することなく、グループを広告するメッセージを送信するように構成することができ、メッセージはすべてのグループメンバー又はグループメンバーの選択されるサブセットに送信される。こうしたアプリケーションサーバは、同じ出願人の米国特許明細書番号第１０／８８０，９８２号に示されており、この米国特許明細書は、本明細書に引用により組み入れられる。（対応するＰＣＴ明細書はＰＣＴ／ＦＩ２００５／０５０１３７である）。アプリケーションサーバがさらにグループを広告することができる実施形態においては、アプリケーションサーバは、さらに、使用可能な媒体の種類に関する情報をもって、生成者を含むグループメンバーに広告するメッセージを送信するように構成されることが好ましい。換言すると、アプリケーションサーバは、メッセージ４−３を受信しなくても、メッセージ４−３をグループメンバーに送信できる。
【００２５】
本発明の幾つかの他の実施形態においては、グループを広告し、使用可能な媒体の種類に関する情報を含むメッセージは、アプリケーションサーバを用いることなく送信することができ、すなわち、ＵＥがメッセージ４−３を直接他のグループメンバーに又は別のグループメンバーに送信する。
【００２６】
図４に示す点及び信号通知メッセージは、絶対的な時系列順ではなく、点／信号通知の幾つかは、同時に実行することができる。他の機能もまた実行することができ、又は、他の信号通知メッセージを点／信号通知メッセージ間又は点内で送信することができる。
【００２７】
本発明の機能を実施するユーザ機器、サーバ、又は対応するサーバコンポーネント及び／又は他の対応する装置は、従来技術の手段だけでなく、グループを広告するメッセージを形成、送信、及び／又は受信するための手段も含み、上述の方法により、グループにおいて使用可能な媒体の種類に関する情報を含む。本発明のサーバ及びユーザ機器は、本発明による機能に使用することができるプロセッサ及びメモリを含む。本発明を実施するのに必要なすべての修正及び構成は、ルーチンとして実行することができ、加えられた又は更新されたソフトウェアルーチン、特定用途向け集積回路（ＡＳＩＣ）及び／又はプログラム可能回路として実施することができる。アプレット及びマクロを含む、プログラム製品とも呼ばれるソフトウェアルーチンは、どのような装置可読データ格納媒体内にも格納でき、特定の作業を実行するプログラム命令を含む。ソフトウェアルーチンは、装置にダウンロードすることができる。ユーザ機器、サーバ、又は対応するサーバコンポーネント、及び／又は他の対応する装置は、少なくとも、算術演算に用いられる格納領域を与えるためのメモリ、及び、算術演算を実行するための動作プロセッサを含むコンピュータとして構成することができる。動作プロセッサの例は、中央処理装置を含む。
【００２８】
当業者であれば、技術の進歩に伴い、本発明の概念を種々の方法により実施できるようになることが明らかであろう。本発明及びその実施形態は、上述の例に限定されるものではなく、特許請求の範囲内で変化することができる。
【図１】
0005550627.tif 000002
【図２】
0005550627.tif 000003
【図３】
0005550627.tif 000004
【図４】
0005550627.tif 000005